(57)【要約】      （修正有）【課題】被検者、特に聴力に障害のある被検者に対して、Ｘ線受像部の上下動や撮影終了等を知らせたり、撮影前の準備や姿勢の調整等を指示したりできるようにする表示器を提供する。【解決手段】被検者を透過したＸ線を検出するＸ線受像部２と、Ｘ線受像部２を上下動可能に支持する支持体３と、Ｘ線撮影時において被検者が確認できる位置に設置された表示器１を備え、表示器１は、Ｘ線受像部又は支持体に設置され、文字を固定表示又は移動表示可能である。【選択図】図１
2019180853.tif 000002
【特許請求の範囲】
【請求項１】
被検者を透過したＸ線を検出するＸ線受像部と、該Ｘ線受像部を上下動可能に支持する支持体と、Ｘ線撮影時において被検者が確認できる位置に設置された表示器を備えることを特徴とするＸ線撮影台。
【請求項２】
前記表示器は、前記Ｘ線受像部又は前記支持体に設置されている
ことを特徴とする請求項１記載のＸ線撮影台。
【請求項３】
前記表示器は、文字を固定表示又は移動表示可能な表示装置である
ことを特徴とする請求項１又は２記載のＸ線撮影台。
【発明の詳細な説明】
【技術分野】
【０００１】
本発明は、被検者を透過したＸ線を検出するＸ線受像部と、Ｘ線受像部を上下動可能に支持する支持体を備えるＸ線撮影台に関するものである。
【背景技術】
【０００２】
従来、Ｘ線撮影台においては、操作者が被検者の動きを見ながら、自分の声又は音声発生器を用いて声をかけ、Ｘ線受像部の上下動や撮影終了等を知らせたり、Ｘ線撮影前の準備を指示したりしている。
また、特許文献１（国際公開第２０１６／１８１４４７号）には、被検者の重心位置を検出し、適正な重心位置との距離が設定値以上である場合に警告を表示する表示部を備えた立位型Ｘ線撮影装置が記載されている（特に、段落００３８〜００４０及び図６〜９を参照）。
【０００３】
しかし、特許文献１に記載されているＸ線撮影台においても、警告表示を確認するのは操作者であり、警告表示がされた場合には操作者が被検者の姿勢を調整している。
そのため、聴力に障害のある被検者に対しては各種の報知や指示がしにくく、手話等による報知や指示が必要であった。
【先行技術文献】
【特許文献】
【０００４】
【特許文献１】国際公開第２０１６／１８１４４７号
【発明の概要】
【発明が解決しようとする課題】
【０００５】
本発明は、Ｘ線撮影台において、被検者、特に聴力に障害のある被検者に対して、表示器を用いてＸ線受像部の上下動や撮影終了等を知らせたり、撮影前の準備や姿勢の調整等を指示したりできるようにすることを第一の課題としてなされたものである。
また、本発明は、Ｘ線撮影台の表示器に文字を固定表示又は移動表示できるようにすることを第二の課題としてなされたものである。
【課題を解決するための手段】
【０００６】
請求項１に係る発明は、被検者を透過したＸ線を検出するＸ線受像部と、該Ｘ線受像部を上下動可能に支持する支持体と、Ｘ線撮影時において被検者が確認できる位置に設置された表示器を備えることを特徴とするＸ線撮影台である。
【０００７】
請求項２に係る発明は、請求項１に記載のＸ線撮影台において、前記表示器は前記Ｘ線受像部又は前記支持体に設置されていることを特徴とする。
【０００８】
請求項３に係る発明は、請求項１又は２に記載のＸ線撮影台において、前記表示器は文字を固定表示又は移動表示可能な表示装置であることを特徴とする。
【発明の効果】
【０００９】
請求項１に係る発明のＸ線撮影台によれば、Ｘ線撮影時において被検者が確認できる位置に表示器が設置されているので、その表示器を用いて被検者にＸ線受像部の上下動や撮影終了等を知らせたり、撮影前の準備や姿勢の調整等を指示したりすることができる。
そのため、特に聴力に障害のある被検者に対して、Ｘ線撮影時における各種の報知や指示がし易いという効果がある。
【００１０】
請求項２に係る発明によれば、請求項１に係る発明のＸ線撮影台による効果に加え、表示器がＸ線受像部又は支持体に設置されているので、表示器の設置場所を探す必要がない。
また、表示器を被検者がＸ線撮影を受ける時の位置近くに設置することができるので、視力の弱い被検者でも表示が見易いという効果もある。
【００１１】
請求項３に係る発明によれば、請求項１又は２に係る発明のＸ線撮影台による効果に加え、表示器は文字を固定表示又は移動表示可能な表示装置であるため、文字の読める被検者であれば、各種の報知や指示をすぐに理解することができる。
【図面の簡単な説明】
【００１２】
【図１】実施例１の表示器１に文字を表示した場面を示す正面図。
【図２】実施例２の表示器１１にＸ線受像部１２の位置を表示した場面を示す図。
【発明を実施するための形態】
【００１３】
以下、実施例によって本発明の実施形態を説明する。
【実施例１】
【００１４】
図１は、実施例１の立位型Ｘ線撮影台の上部を示す正面図であり、表示器１に文字を表示した場面を示している。
そして、実施例１の立位型Ｘ線撮影台は、被検者を透過したＸ線を検出するＸ線受像部２と、Ｘ線受像部２を上下動可能に支持する支持体３と、支持体３の中央部に設置された表示器１を備えている。
表示器１は、ＬＥＤ４をマトリクス状に横へ１２個、縦へ３６０個並べたものであり、図１に示すように文字を表示できるだけでなく、各種の記号や図柄を表示することができる。
また、文字、記号及び図柄を移動させながら表示することもできる。
【００１５】
実施例１の立位型Ｘ線撮影台を用いて、被検者の胸部Ｘ線撮影を実行するときの手順は以下のとおりである。
（１）被検者が撮影室に入室し、立位型Ｘ線撮影台の前に立つ。
（２）操作者は被検者が立位型Ｘ線撮影台の前に立ったことを確認し、被検者の背丈に合わせてＸ線受像部２を上又は下に移動させる操作を行う。
そうすると、表示器１に「ご注意下さい」の文字が表示されるとともにアナウンスが流れ、その後「動きます」の文字が表示されるとともにアナウンスが流れてから、Ｘ線受像部２が上又は下に移動する。
（３）操作者が操作を止めるとＸ線受像部２は移動を停止し、表示器１に「あごを当て胸をつけて下さい」の文字が表示されるとともにアナウンスが流れる。
（４）被検者は指示に従って、胸部Ｘ線撮影に適した姿勢をとる。
（５）操作者は被検者の姿勢が適正であることを確認すると撮影準備の操作を行う。
そうすると、表示器１に「大きく息を吸って止めて下さい」の文字が表示されるとともにアナウンスが流れる。
（６）操作者は被検者が息を止めたことを確認したら撮影操作を行う。
（７）撮影が終了すると、表示器１に「撮影しました」の文字が表示されるとともにアナウンスが流れ、その後「お疲れ様でした、退室して下さい」の文字が表示されるとともにアナウンスが流れる。
【実施例２】
【００１６】
図２は、実施例２の立位型Ｘ線撮影台の上部を示す図であり、表示器１１にＸ線受像部１２の位置を表示した場面を示している。
そして、実施例２の立位型Ｘ線撮影台は、実施例１の立位型Ｘ線撮影台と同様、被検者を透過したＸ線を検出するＸ線受像部１２と、Ｘ線受像部１２を上下動可能に支持する支持体１３と、支持体１３の中央部に設置された表示器１１を備えている。
表示器１１は、ＬＥＤ１４をマトリクス状に横へ３個、縦へ９０個並べたものであり、正方形状、長方形状、三角形状、矢印状等の図形や記号を表示することができる。
なお、図２はＬＥＤ１４を９個用いて正方形状の図形を表示した状態である。
また、図形や記号を移動させながら表示することもできる。
【００１７】
実施例２の立位型Ｘ線撮影台を用いて、被検者の胸部Ｘ線撮影を実行するときの手順は以下のとおりである。
（１）被検者が撮影室に入室し、立位型Ｘ線撮影台の前に立つ。
（２）操作者は被検者が立位型Ｘ線撮影台の前に立ったことを確認し、被検者の背丈に合わせてＸ線受像部１２を上又は下に移動させる操作を行う。
そうすると、表示器１１のＸ線受像部１２の上縁及び下縁に対応する位置にある９つのＬＥＤが点滅するとともに「ご注意下さい」のアナウンスが流れ、その後移動方向に合わせてＬＥＤが矢印状に点灯するとともに「動きます」のアナウンスが流れてから、Ｘ線受像部１２が上又は下に移動する。
（３）操作者が操作を止めるとＸ線受像部１２は移動を停止し、表示器１１のＸ線受像部１２の上縁に対応する位置にある９つのＬＥＤが点灯するとともに「あごを当て胸をつけて下さい」のアナウンスが流れる。
（４）被検者は指示に従って、胸部Ｘ線撮影に適した姿勢をとる。
（５）操作者は被検者の姿勢が適正であることを確認すると撮影準備の操作を行う。
そうすると、表示器１１のＸ線受像部１２の上縁に対応する位置にある９つのＬＥＤが点滅するとともに「大きく息を吸って止めて下さい」のアナウンスが流れる。
（６）操作者は被検者が息を止めたことを確認したら撮影操作を行う。
（７）撮影が終了すると、表示器１１の点滅表示が消えるとともに「撮影しました」のアナウンスが流れ、その後「お疲れ様でした、退室して下さい」のアナウンスが流れる。
【００１８】
実施例１及び２の立位型Ｘ線撮影台は、上記の構成で上記のような手順により胸部Ｘ線撮影が実行されるので、被検者に対してＸ線受像部２、１２の移動や撮影終了等を確実に報知でき、撮影前に被検者がとるべき姿勢や撮影時における被検者の挙動について確実に指示することができる。
なお、これらの効果は、聴力に障害のある被検者や耳の遠くなった高齢者等に対して特に有効である。
【００１９】
実施例１及び２の変形例を列記する。
（１）実施例１及び２は、立位型Ｘ線撮影台に表示器１、１１を適用した例であったが、立位型Ｘ線撮影台に限らず、座位型Ｘ線撮影台や臥位型Ｘ線撮影台においても、適用可能である。
（２）実施例１及び２においては、表示器１、１１を支持体３、１３に設置したが、Ｘ線受像部２、１２に設置しても良く、Ｘ線撮影時において被検者が確認できる位置、すなわち被検者が姿勢を変えずに目視できる位置にある壁や他の構造物に設置しても良い。
なお、Ｘ線受像部２、１２に設置する場合には、被検者から見えにくくならないように前方に突出させて設置したり、支持体３、１３の前面に鏡を設けて反射させたりする等の工夫を加えた方が良い。
【００２０】
（３）実施例１及び２の表示器１、１１は、ＬＥＤ４、１４をマトリクス状に多数並べ、支持体３、１３の上方から下方まで細長く設置されていたが、支持体３、１３の上方（床からの高さ１４０〜１７０ｃｍ程度）のみに設置しても良い。
（４）実施例１及び２の表示器１、１１は、ＬＥＤ４、１４をマトリクス状に多数並べたＬＥＤ表示器であったが、ＬＥＤ表示器に代えて液晶表示器、ＥＬ表示器、７セグメント表示器等としても良く、複数個のランプを設置するだけでも良い。
なお、複数個のランプを設置するだけとした場合、ランプの色を変えるとともに状況によって異なる色のランプを点灯させたり、「ご注意下さい」、「動きます」、「あごを当て胸をつけて下さい」、「大きく息を吸って止めて下さい」、「撮影しました」及び「お疲れ様でした、退室して下さい」といった文字表示板を設置しておくとともに状況に応じて適した文字表示板の近くや裏側に設置してあるランプを点灯させたりする等の工夫が必要である。
【符号の説明】
【００２１】
１、１１  表示器
２、１２  Ｘ線受像部
３、１３  支持体
４、１４  ＬＥＤ
【図１】
2019180853.tif 000003
【図２】
2019180853.tif 000004